(57)【要約】【課題】  トイレットペーパーロールの収容操作およびトイレットペーパーの引出し操作を、安全かつ容易に行うことができるトイレットペーパーホルダーを提供する。【解決手段】  ケース４内には、トイレットペーパー３を巻回した状態のトイレットペーパーロール２を、巻回方向がいずれであっても、２本のローラー６，７上に載置するだけで容易かつ安全に収容することができる。カッター８は、調整板１１，１２で案内されて引出口４ａからケース４外に引出すトイレットぺーパー３を切断する切断刃９を有する可動式のカッター８を備え、切断後に引出口４ａから垂下する下端の位置よりも上方で切断刃９を待機させる。次に使用する際にトイレットペーパー３の下端を容易かつ安全に把持して、トイレットペーパー３を引出すことができる。【選択図】図１
2011036604.tif 000002
【特許請求の範囲】
【請求項１】
ケース内に軸心を水平にした状態で収容するトイレットペーパーロールを、間隔を開けてケース内に配置される２本のローラー上に載置して支持しながら、使用するトイレットペーパーをローラー間の下方に設ける引出口からケース外に引出すトイレットペーパーホルダーにおいて、
引出口の下方でトイレットペーパーを切断する刃を備え、切断後に引出口から垂下するトイレットペーパーの下端の位置よりも上方で刃を待機させるカッターと、
前記２本のローラー間で、各ローラーに下方から臨むようにそれぞれ配置され、２本のローラー上に前記トイレットペーパーロールが載置される状態で、トイレットペーパーロールとローラーとの接触位置から繰出されるトイレットペーパーを前記引出口から前記ケース外に導くように案内し、カッターによる切断後に残存するトイレットペーパーの長さを、いずれのローラーとトイレットペーパーロールとの接触位置から繰出した場合も同等となる形状に調整されており、トイレットペーパーロールの径がローラー間の間隔より小さくなっても保持可能な２つの調整板とを、
含むことを特徴とするトイレットペーパーホルダー。
【請求項２】
前記カッターは、前記ケース内で前記引出口に臨む待機位置で前記刃を待機させ、前記トイレットペーパーの引出しとともに、刃の位置がケース外のトイレットペーパーの引出し経路の下流側の切断位置に移行し、トイレットペーパーの切断後に、刃がトイレットペーパーから離れて該待機位置に戻り、切断後に残存するトイレットペーパーを下方に垂下する状態で残すことを特徴とする請求項１記載のトイレットペーパーホルダー。
【請求項３】
前記ケース内には、前記トイレットペーパーロールの両側方から、該トイレットペーパーロールの軸ずれを防止する軸ずれ防止部材が配置されていることを特徴とする請求項１または２に記載のトイレットペーパーホルダー。
【発明の詳細な説明】
【技術分野】
【０００１】
本発明は、トイレットペーパーをロール状に巻回した状態で収容し、引出して切断しながら使用するトイレットペーパーホルダーに関する。
【背景技術】
【０００２】
従来から、トイレットペーパーは、巻回した状態のトイレットペーパーロールを、ケース内に水平な状態で中心軸を回転可能に支持するトイレットペーパーホルダーに収容されて使用されることが多い。一般的なトイレットペーパーホルダーで使用するトイレットペーパーロールは、紙管を芯にして巻回され、ケースの両側方から紙管に挿入される部材で支持される。ケースの正面側には開閉可能なカバーが設けられ、カバーの端部でケースの外部に引出すトイレットペーパーを切断する。トイレットペーパーを切断するカッターを、カバーの先端でトイレットペーパーロールの表面から離間する位置に設けて、トイレットペーパーを引出して切断すると、切断後にもある程度の長さでトイレットペーパーが残存し、次にトイレットペーパーを引出す操作が容易になる構成も開示されている（たとえば、特許文献１参照）。
【０００３】
特許文献１に示されるような、トイレットペーパーを正面側に引出すトイレットペーパーホルダーは、上側からトイレットペーパーを正面側に繰出すことができるような巻回方向となるように、トイレットペーパーロールを収容する必要がある。トイレットペーパーロールの巻回方向に関係なくケース内に収容して、トイレットペーパーをケース下方に引出して使用可能なトイレットペーパーホルダーも知られている（たとえば、特許文献２、３参照）。
【０００４】
特許文献２には、対をなすローラーで下方からトイレットペーパーロールを回転可能に支持し、トイレットペーパーをローラー間から下方に引出す構成が開示されている。トイレットぺーパーをケース外に引出す引出口にはカッターが設けられ、引出したトイレットペーパーを切断することができる。ローラーは間隔が広い上段側と、間隔が狭い下段側との２段にわたって設けられ、使用初期には上段側、使用終期には下段側でそれぞれ回転可能に支持する。
【０００５】
特許文献３には、トイレットペーパーロールをU字状またはV字状の溝で保持する構成が開示されている。溝の下方にはトイレットペーパーをケース外に引出す引出口部が設けられ、引出口部の周縁にトイレットペーパーを切断する切断刃が備えられている。
【先行技術文献】
【特許文献】
【０００６】
【特許文献１】特開２００３−２４２４１号公報
【特許文献２】特開２００７−９７６７９号公報
【特許文献３】特開２００２−３４５６７８号公報
【発明の概要】
【発明が解決しようとする課題】
【０００７】
従来からの一般的なトイレットペーパーホルダーは、トイレットペーパーロールのケース内への収容やトイレットペーパーのケース外への引出しは、カバーを開けば容易に行うことができる。しかしながら、トイレットペーパーロールは、上側から正面側にトイレットペーパーを繰出すように、巻回方向を合わせてケース内に収容する必要がある。また、ケース内でトイレットペーパーロールを中心軸で回転可能に保持するための操作も必要となる。たとえば、伸縮するパイプをトイレットペーパーロールの中心に挿通させ、パイプの両端をケースの両側方に設ける凹部にそれぞれ装着させる操作を行う。または特許文献１のように、ケースの両側方から突出する支持部材でトイレットペーパーロールの中心を支持する操作を行う。
【０００８】
さらに一般的なトイレットペーパーホルダーでは、トイレットペーパーの切断機能をカバーの端部に持たせているので、切断後にトイレットペーパーホルダー側に残存するトイレットぺーパーは、先端がカバーから外には出ない状態となる。したがって、次にトイレットペーパーを使用する場合、カバーを開いてトイレットペーパーの先端を把持し、ケース外部に引出さなければならない。特許文献１に開示されている構成では、切断後にも残存側のトイレットペーパーがケース外に出るので、次に使用する場合には容易にトイレットペーパーを引出すことができる。ただし、カッターを、カバーの先端でトイレットペーパーロールの表面から離間する位置に設けるので、安全性に問題が生じる可能性がある。
【０００９】
特許文献２、３に開示されているような、トイレットペーパーロールの巻回方向に関
係なくケース内に収容する構成では、トイレットペーパーロールの収容の操作は簡単に行うことができる。ケース下方に引出して使用するトイレットペーパーは、ケース外への引出口の周縁に設けるカッターで切断する。したがって、切断後にトイレットペーパーホルダー側に残るトイレットペーパーの先端は、ケース内に残り、引出口から外部には出ない。次にトイレットペーパーを引出口からケース外に引出して使用する際には、たとえば引出口の内部に指を挿入して残存するトイレットペーパーの先端を把持する必要がある。引出口の周縁にカッターが設けられていると、安全性に問題が生じる可能性がある。
【００１０】
本発明の目的は、トイレットペーパーロールの収容操作およびトイレットペーパーの引出し操作を、安全かつ容易に行うことができるトイレットペーパーホルダーを提供することである。
【課題を解決するための手段】
【００１１】
本発明は、ケース内に軸心を水平にした状態で収容するトイレットペーパーロールを、間隔を開けてケース内に配置される２本のローラー上に載置して支持しながら、使用するトイレットペーパーをローラー間の下方に設ける引出口からケース外に引出すトイレットペーパーホルダーにおいて、
引出口の下方でトイレットペーパーを切断する刃を備え、切断後に引出口から垂下するトイレットペーパーの下端の位置よりも上方で刃を待機させるカッターと、
前記２本のローラー間で、各ローラーに下方から臨むようにそれぞれ配置され、２本のローラー上に前記トイレットペーパーロールが載置される状態で、トイレットペーパーロールとローラーとの接触位置から繰出されるトイレットペーパーを前記引出口から前記ケース外に導くように案内し、カッターによる切断後に残存するトイレットペーパーの長さを、いずれのローラーとトイレットペーパーロールとの接触位置から繰出した場合も同等となる形状に調整されており、トイレットペーパーロールの径がローラー間の間隔より小さくなっても保持可能な２つの調整板とを、
含むことを特徴とするトイレットペーパーホルダーである。
【００１２】
また本発明で、前記カッターは、前記ケース内で前記引出口に臨む待機位置で前記刃を待機させ、前記トイレットペーパーの引出しとともに、刃の位置がケース外のトイレットペーパーの引出し経路の下流側の切断位置に移行し、トイレットペーパーの切断後に、刃がトイレットペーパーから離れて該待機位置に戻り、切断後に残存するトイレットペーパーを下方に垂下する状態で残すことを特徴とする。
【００１３】
また本発明で、前記ケース内には、前記トイレットペーパーロールの両側方から、該トイレットペーパーロールの軸ずれを防止する軸ずれ防止部材が配置されていることを特徴とする。
【発明の効果】
【００１４】
本発明によれば、トイレットペーパーロールは、間隔を開けてケース内に配置される２本のローラー上に載置するだけで、ケース内に軸心を水平にした状態で容易かつ安全に収容することができる。カッターは、使用するトイレットペーパーをローラー間からケース外に引出す引出口の下方でトイレットペーパーを切断する刃を備え、切断後に引出口から垂下するトイレットペーパーの下端の位置よりも上方で刃を待機させるので、次に使用する際にトイレットペーパーの下端を容易かつ安全に把持して、トイレットペーパーを引出すことができる。２つの保持板によって、２本のローラー上に載置するトイレットペーパーロールの巻回方向によらず、切断後に残存して引出口ケース外に垂下するトイレットペーパーの長さを、同等にすることができる。また、トイレットペーパーロールの径がローラー間の間隔より小さくなっても２つの調整板で保持可能なので、巻芯を使用しないトイレットペーパーロールを使用することができる。巻芯を使用しないトイレットペーパーロールでも、使用初期にはローラで支持するので、巻芯を使用するトイレットペーパーロールと同様にトイレットペーパーを円滑に引出すことができる。使用終期には、トイレットペーパーロールが軽くなるので、２つの調整板で保持しても、負荷が大きくならずに、容易に引出すことができる。
【００１５】
また本発明によれば、カッターは、ケース内で引出口に臨む待機位置でトイレットペーパーを切断する刃を待機させるので、安全性を確保することができる。トイレットペーパーの引出しとともに、カッターの刃の位置がケース外のトイレットペーパーの引出し経路の下流側の切断位置に移行して切断することができる。トイレットペーパーの切断後に、カッターの刃がトイレットペーパーから離れて待機位置に戻り、切断後に残存するトイレットペーパーを下方に垂下する状態で残すので、次に使用する際に垂下するトイレットペーパーを容易かつ安全に把持して、引出すことができる。
【００１６】
また本発明によれば、ケース内に配置される軸ずれ防止部材で、トイレットペーパーロールの軸ずれを防止するので、２本のローラー上のトイレットペーパーロールがトイレットペーパーの引出しとともに軸ずれを生じないようにして、カッターによる適切な切断が可能な位置を保つようにすることができる。
【図面の簡単な説明】
【００１７】
【図１】図１は、本発明の一実施例であるトイレットペーパーホルダー１の概略的な構成を示す左側面断面図およびカッター８の部分的な構成を示す平面図である。
【図２】図２は、図１のトイレットペーパーホルダー１の構成を、ケース４の正面側部分およびカバー５を除去して示す正面図である。
【図３】図３は、図１のトイレットペーパーホルダー１でトイレットペーパーロール２を保持する構成を示す部分的な左側面断面図である。
【図４】図４は、図１のトイレットペーパーホルダー１で可動部分の構成を示す部分的な左側面断面図である。
【発明を実施するための形態】
【００１８】
以下、本発明の実施の形態の基本的な構成を、図１〜図４を参照して説明する。トイレットペーパーホルダー１は、トイレットペーパーロール２として、トイレットペーパー３が巻回した状態で収容するケース４を含む。ケース４には開閉可能なカバー５が設けられ、カバー５を開いた状態でトイレットペーパーロール２をケース４内に収容する。トイレットペーパーロール２は、巻回方向がいずれであっても、間隔を開けてケース４内に配置される２本のローラー６，７上に載置するだけで、ケース４内に軸心を水平にした状態で容易かつ安全に収容することができる。
【００１９】
カッター８は、使用するトイレットペーパー３をローラー６，７間の下方に設ける引出口４ａからケース４外に引出す際に切断する切断刃９を備え、切断後に引出口４ａから垂下するトイレットペーパー３の下端の位置よりも上方で切断刃９を待機させるので、次に使用する際にトイレットペーパー３の下端を容易かつ安全に把持して、トイレットペーパー３を引出すことができる。カッター８は、たとえば回転軸８ａまわりに回転し、回転軸８ａの一方側に切断刃９を設け、回転軸８ａの他方側にバランス重り１０を設けるような可動式にすることが好ましい。
【００２０】
２本のローラー６，７間には、２つの調整板１１，１２がそれぞれ配置される。調整板１１，１２は、各ローラー６，７に下方から臨むようにそれぞれ配置され、２本のローラー６，７上にトイレットペーパーロール２が載置される状態で、トイレットペーパーロール２とローラー６，７との接触位置から繰出されるトイレットペーパー３を引出口４ａに導くように案内する。調整板１１，１２の形状は、カッター６による切断後に残存するトイレットペーパー３の長さを、いずれのローラ６，７ーとトイレットペーパーロール２との接触位置から繰出した場合も同等となるように調整される。巻芯の無いトイレットペーパーロール２を使用する場合には、径がローラー６，７間の間隔より小さくなっても、２つの調整板１１，１２で使用終期のトイレットペーパーロール２を保持することができる。
【００２１】
ケース４内には、トイレットペーパーロール２の幅方向の両側方から、トイレットペーパーロール２の位置を安定化させる安定化部材として安定棒１３が配置されている。安定棒１３で、トイレットペーパーロール２のローラー６，７での載置位置が安定し、トイレットペーパー３の引出しを円滑に行うことができる。
【実施例】
【００２２】
図１は、（ａ）で本発明の一実施例であるトイレットペーパーホルダー１の概略的な構成を示し、（ｂ）でカッター８に関する部分的な構成を示す。トイレットペーパーホルダー１の各部は、プラスチックや金属を材料として製造することができる。
【００２３】
図１（ａ）に示すように、ケース４は、図の左側となる背面を壁などに装着して使用される。また、ユニットバスなどにケース４の後背部を収容させて組込むこともできる。図の右側となる正面には、上端をケース４の前端で支持し、下端を図の右側に開くことが可能なカバー５が設けられる。カバー５を開いている状態で、ケース４内に軸心を水平にした状態で収容するトイレットペーパーロール２は、間隔をあけてケース４内に配置される２本のローラー６，７上に載置して支持される。トイレットペーパーホルダー１では、トイレットペーパーロール２の巻回方向がいずれであっても、トイレットペーパー３をローラー６，７間から引出口４ａを介して、同様な操作で下方に引出すことが可能である。トイレットペーパーロール２には、巻芯として、たとえば紙管２ａが用いられる。ローラー６，７間の間隔を、紙管２ａの外径よりも小さくしておけば、トイレットペーパーロール２の使用終了後に紙管２ａがローラ６，７上に残り、新たなトイレットペーパーロール２への交換時に、容易に除去することができる。また、使用初期から使用終期まで、ローラー６，７上にトイレットペーパーロール２を回転可能な状態で保持することができる。
【００２４】
２本のローラー６，７間の下方には、調整板１１，１２が各ローラー６，７に下方から臨むようにそれぞれ配置される。調整板１１，１２は、２本のローラー６，７上にトイレットペーパーロール２が載置される状態で、トイレットペーパーロール２とローラー６，７との接触位置から繰出されるトイレットペーパー３を引出口４ａに導くように案内する。トイレットペーパー３は、巻回方向に応じて、トイレットペーパーロール２といずれかのローラー６，７との接触位置から繰出される。図では、トイレットペーパー３を時計回り方向にトイレットペーパーロール２から繰出すので、右側、すなわち正面側のローラ６側から引出口４ａに、右側の調整板１１で案内している。
ケース４の下部に備えられるカッター８のバランス重り１０は、切断刃９側よりも少し重くしておく。切断刃９の刃先にトイレットペーパー３が掛っていない状態では、バランス重り１０がケース３の底部に支承される。
【００２５】
図１（ｂ）に示すように、切断刃９の刃先は、ギザギザ状などに連続する凹凸を有し、トイレットペーパー３を接触させると、引っ掛かる状態となる。切断刃９に引っ掛かるトイレットペーパー３の引出しとともに、図１（ａ）では２点鎖線で示すように、カッター８は回転軸８ａを中心として反時計回り方向に回転し、切断刃９と回転軸８ａとの間の部分が引出口４ａの周縁に当接して回転が停止すると、切断刃９の位置がトイレットペーパー３の引出経路３ａの下流側の切断位置に移行する。トイレットペーパー３の切断で、トイレットペーパー３は切断刃９の刃先に引っ掛かっている部分が刃先から外れるので、切断刃９は負荷がなくなり、バランス重り１０に作用する重力のモーメントで、カッター８は時計回り方向に回転し、トイレットペーパー３を垂下状態３ｂで残して、実線で示すように、引出口４ａからケース４内の待機位置に戻る。バランス重り１０を設けておくので、可動式のカッター８を円滑に待機位置に戻して、切断後に長さｘ１で残存するトイレットペーパーを下方に垂下する状態で残すことができる。なお、切断刃９の幅方向の両側には、トイレットペーパー３が刃先からずれないように案内するガイド９ａ，９ｂを設けてある。両側のガイド９ａ，９ｂによって、トイレットペーパー３は、垂下状態３ｂでも切断刃９の刃先に対応する範囲で安定して待機する。二点鎖線で示すように、トイレットペーパー３を引出す際には、確実に切断刃９の刃先に引っ掛け、カッター８も回転させて引出すことができる。
【００２６】
正面側の調整板１１は固定式であるけれども、背面側の調整板１２は、後述するように、可動式とすることが好ましい。また、調整板１２は、トイレットペーパー３をローラー７側から引出し、引出口４ａを介して引出し経路３ａに導くように案内し、切断後に垂下する長さがｘ１に近くなるような形状に調整される。調整板１２を可動式とする場合、カバー５の開閉と連動させるために、ロック棒１４が設けられる。
【００２７】
図２は、図１のトイレットペーパーホルダー１の構成を、ケース４の正面側部分およびカバー５を除去して示す。トイレットペーパーロール２を２本のローラ６，７上に載置する状態では、トイレットペーパーロール２は回転とともに、軸ずれを生じて、図の横方向となる幅方向に移動する可能性がある。ケース４内には、トイレットペーパーロール２の幅方向の両側方から、トイレットペーパーロール２の軸ずれを防止する軸ずれ防止部材として軸ずれ防止棒１３が配置されている。軸ずれ防止棒１３は、たとえばパイプ材を使用し、ケース４の上方から吊下げられる。軸ずれ防止棒１３の断面形状は、少なくともトイレットペーパーロール２の側面に臨む側では凸面となるようにしておく。軸ずれ防止棒１３によって、トイレットペーパーロール２のローラー６，７上での載置位置が軸方向にずれる範囲が抑制され、カッター８で適切に切断可能な範囲内に留めることができる。また、軸ずれ防止棒１３がトイレットペーパーロール２の側面に臨む側を凸面としておくことによって、トイレットペーパーロール２の側面が接触する場合でも、接触面積を少なくして、トイレットペーパーロールの円滑な回転を妨げないようにすることができる。
【００２８】
図３は、図１のトイレットペーパーホルダー１でトイレットペーパーロール２を保持し、ローラ−７側からトイレットペーパー３を繰出す構成を部分的に示す。（ａ）に示すように、トイレットペーパー３は、調整板１２による案内で、引出口４ａから、図１の引出経路３ａとほぼ同等な引出経路３ｃに導かれる。カッター９による切断後には、トイレットペーパー３が長さｘ２の垂下状態３ｄで引出口４ａから垂下する。調整板１１，１２の形状と位置とを調整することによって、垂下状態３ｂ，３ｄでのトイレットペーパー３の長さｘ１，ｘ２をほぼ同等にすることができる。なお、垂下状態でのトイレットペーパー３の長さｘ１，ｘ２は、たとえば３０〜４０ｍｍ程度とすることが好ましい。トイレットペーパーロール２に紙管２ａなどの巻芯を使用しない場合、（ｂ）に示すように、調整板１１，１２の間の溝にトイレットペーパーロール２を保持してトイレットペーパー３を引出すことができる。すなわち、トイレットペーパーホルダー１では、トイレットペーパーロール２を、巻回方向や巻芯の有無によらずに、ほぼ同様に使用することができる。
【００２９】
図４は、図１のトイレットペーパーホルダー１で可動式の調整板１２に関する構成を示す。（ａ）に示すように、カバー５が閉じている状態では、ロック棒１４で調整板１２がロックされ、調整板１１との間が狭くなり、図３（ｂ）に示すように、調整板１１，１２間で巻芯無しのトイレットペーパーロール２を支持することができる。（ｂ）に示すように、カバー５を開くと、ロック棒１４による調整板１２のロックが外れ、調整板１２の先端が引出口ａの下方に開く。調整板１１，１２間の間隔が広くなるので、ローラ６，７上にトイレットペーパーロール２を載置し、トイレットペーパー３を引出口４ａから下方に引出す操作を容易に行うことができる。（ｃ）に示すように、ローラ６，７の少なくとも一方、たとえばローラ７を、ローラ６との間の間隔が開く方向に移動可能にしておけば、トイレットペーパーロール２の取付け操作を容易に行うことができる。
【００３０】
なお、ロック棒１４は、カバー５および調整板１２とリンク機構を形成するように連結させておくことができる。また、ロック棒１４の一端部を調整板１２に当接させ、他端部をカバー５に当接させ、一端側に付勢するばねを用いることもできる。
【００３１】
以上のようなトイレットペーパーホルダー１では、可動式のカッター８を使用しているけれども、たとえば図１の２点鎖線で示す位置に固定される固定式のカッターを用いることもできる。カッターの切断刃が設けられる位置が、垂下状態３ｂ，３ｄから離れていれば、切断後に残存するトイレットペーパー３を、次の使用時に、容易に把持して引出すことができる。カッター８を可動式とすることによって、垂下状態３ｂ，３ｄでの長さｘ１，ｘ２を長くし、把持し易くすることができるとともに、垂下状態３ｂ、３ｄのトイレットペーパー３の先端付近にはカッター８の切断刃９がないので、手探り状態でも安全にトイレットペーパー３を引出して、使用することができる。また、ユニットバスなどに組込む場合、シャワーなどの水が正面側からかかっても、トイレットペーパー３をぬれにくいケース４の下部で垂下状態３ｂ，３ｄとしておくことができる。
【符号の説明】
【００３２】
１  トイレットペーパーホルダー
２  トイレットペーパーロール
２ａ  紙管
３  トイレットペーパー
４  ケース
４ａ  引出口
５  カバー
６，７  ローラー
８  カッター
１１，１２  調整板
１３  軸ずれ防止棒
１４  ロック棒
【図１】
2011036604.tif 000003
【図２】
2011036604.tif 000004
【図３】
2011036604.tif 000005
【図４】
2011036604.tif 000006